(57)【要約】【課題】良好な画質を維持できる最適な投映サイズで画像の投映を行う電子機器を提供する。【解決手段】投映画像を投映面に対して投映する投映部３４と、前記投映部から前記投映面までの距離を計測する計測部３６と、標準スクリーンに対して複数の異なる投映サイズで投映光を投映することにより取得された前記標準スクリーンの投映サイズ毎の投映光学特性を記憶する情報記憶部３１と、前記計測部により計測した距離と同一の距離から現状の投映画角と同一の投映画角で投映を行った場合の投映サイズと同一の投映サイズで前記投映光を投映した場合における投映光学特性を前記情報記憶部から選択する選択部２０と、前記選択部により選択した投映光学特性が取得された時に前記標準スクリーンに対して投映された投映光と同じ明るさの投映光が投映された状態で前記投映面の光学特性を検知する検知部２０と、前記選択部により選択した投映光学特性及び前記検知部により検知した光学特性に基づいて最適な投映サイズを決定する決定部２０とを備える。【選択図】図２
2013057767.tif 000002
【特許請求の範囲】
【請求項１】
投映画像を投映面に対して投映する投映部と、
前記投映部から前記投映面までの距離を計測する計測部と、
標準スクリーンに対して複数の異なる投映サイズで投映光を投映することにより取得された前記標準スクリーンの投映サイズ毎の投映光学特性を記憶する情報記憶部と、
前記計測部により計測した距離と同一の距離から現状の投映画角と同一の投映画角で投映を行った場合の投映サイズと同一の投映サイズで前記投映光を投映した場合における投映光学特性を前記情報記憶部から選択する選択部と、
前記選択部により選択した投映光学特性が取得された時に前記標準スクリーンに対して投映された投映光と同じ明るさの投映光が投映された状態で前記投映面の光学特性を検知する検知部と、
前記選択部により選択した投映光学特性及び前記検知部により検知した光学特性に基づいて最適な投映サイズを決定する決定部と
を備えることを特徴とする電子機器。
【請求項２】
前記選択部により最初に選択を行う時の投映サイズは、最大投映サイズと最小投映サイズの中間の投映サイズであることを特徴とする請求項１記載の電子機器。
【請求項３】
前記選択部により選択した投映光学特性及び前記検知部により検知した光学特性を用いて前記選択部による選択の時の投映サイズを拡大するか縮小するかを判定する判定部を備え、
前記決定部は、前記判定部による判定に基づいて投映サイズの拡大、縮小を繰り返しながら最適な投映サイズを決定することを特徴とする請求項１または２記載の電子機器。
【請求項４】
前記光学特性及び前記投映光学特性は、輝度及び色の中の少なくとも一つであることを特徴とする請求項１〜３の何れか一項に記載の電子機器。
【請求項５】
前記投映光学特性は、標準投影環境で前記標準スクリーンに対して白色の画像を投映することにより検知された投映光学特性であることを特徴とする請求項１〜４の何れか一項に記載の電子機器。
【請求項６】
前記投映面を撮像する撮像部を備え、
前記検知部は、前記撮像部により出力される撮像データに基づいて、前記投映面の光学特性を検知することを特徴とする請求項１〜５の何れか一項に記載の電子機器。
【請求項７】
前記投映部は、投映画角を調整するズーム制御部を備え、
前記ズーム制御部は、前記投映画角を調整することにより投映サイズを拡大または縮小することを特徴とする請求項１〜６の何れか一項に記載の電子機器。
【発明の詳細な説明】
【技術分野】
【０００１】
本発明は、電子機器に関するものである。
【背景技術】
【０００２】
従来、投映画像のサイズを調整できるプロジェクタが知られている（例えば、特許文献１参照）。このプロジェクタによれば、投映する画像のサイズに対応させて映像信号の諸特性を調整することができる。
【先行技術文献】
【特許文献】
【０００３】
【特許文献１】実開平６−０５４０３０号公報
【発明の概要】
【発明が解決しようとする課題】
【０００４】
しかし、上述のプロジェクタでは、投映する画像のサイズに対応させて映像信号の諸特性を調整した場合に投映画像の画質を維持することができない場合があった。
【０００５】
本発明の目的は、良好な画質を維持できる最適な投映サイズで画像の投映を行う電子機器を提供することである。
【課題を解決するための手段】
【０００６】
本発明の電子機器は、投映画像を投映面に対して投映する投映部と、前記投映部から前記投映面までの距離を計測する計測部と、標準スクリーンに対して複数の異なる投映サイズで投映光を投映することにより取得された前記標準スクリーンの投映サイズ毎の投映光学特性を記憶する情報記憶部と、前記計測部により計測した距離と同一の距離から現状の投映画角と同一の投映画角で投映を行った場合の投映サイズと同一の投映サイズで前記投映光を投映した場合における投映光学特性を前記情報記憶部から選択する選択部と、前記選択部により選択した投映光学特性が取得された時に前記標準スクリーンに対して投映された投映光と同じ明るさの投映光が投映された状態で前記投映面の光学特性を検知する検知部と、前記選択部により選択した投映光学特性及び前記検知部により検知した光学特性に基づいて最適な投映サイズを決定する決定部とを備えることを特徴とする。
【発明の効果】
【０００７】
本発明の電子機器によれば、良好な画質を維持できる最適な投映サイズで画像の投映を行うことができる。
【図面の簡単な説明】
【０００８】
【図１】第１の実施の形態に係るプロジェクタの投映状態を示す斜視図である。
【図２】第１の実施の形態に係るプロジェクタのシステム構成を示すブロック図である。
【図３】第１の実施の形態に係るプロジェクタの処理を示すフローチャートである。
【図４】第１の実施の形態に係るプロジェクタにおける撮像部の撮像範囲を示す平面図である。
【図５】第１の実施の形態に係るプロジェクタにおける撮像部の撮像範囲を示す側面図である。
【図６】第１の実施の形態に係るプロジェクタにより光学特性を検知する投映面の座標を示す図である。
【図７】第２の実施の形態に係るプロジェクタの処理を示すフローチャートである。
【図８】第３の実施の形態に係るプロジェクタの処理を示すフローチャートである。
【図９】実施の形態に係るプロジェクタの投映状態を示す斜視図である。
【発明を実施するための形態】
【０００９】
以下、図面を参照して、第１の実施の形態に係る電子機器をプロジェクタを例にして説明する。図１は、第１の実施の形態に係るプロジェクタの投映状態を示す斜視図である。プロジェクタ２は金属やプラスチックからなる筐体４を備え、筐体４の背面には、後述するメッセージの画像等の表示を行うＬＣＤ表示部６、投映画像の選択等を行うマルチセレクタ８、プロジェクタ投映を行う投映モードを設定するＰＪボタン１０、良好な画質を維持できる最適な投映サイズ１１を決定するための処理（以下、サイズ決定処理という。）を開始する開始ボタン１２が設けられている。また、筐体４の上面には、電源スイッチ１４、後述する撮像部２４による撮像指示を行うレリーズボタン１５が設けられている。
【００１０】
図２は、第１の実施の形態に係るプロジェクタ２の構成を示すブロック図である。プロジェクタ２はＣＰＵ２０を備え、ＣＰＵ２０には、マルチセレクタ８、ＰＪボタン１０、開始ボタン１２、電源スイッチ１４、レリーズボタン１５等を備える操作部２２、ＬＣＤ表示部６の表示制御を行う表示制御部２３、被写体を撮像する撮像素子を有する撮像部２４、撮像部２４から出力された撮像データを記憶する記憶部２６、投映等に関する設定、制御を行うためのプログラムを格納するプログラム記憶部３０、標準投影環境において標準スクリーンに対して複数の異なる投映サイズで所定の明るさの白色画像を投映することにより検知された標準スクリーンの投映サイズ毎の光学特性に関する情報を記憶する情報記憶部３１、投映サイズを拡大または縮小したことを履歴情報として記憶する履歴記憶部３２、投映する画像の画像データを記憶するメモリカード３３、画像を投映する投映部３４、及び筐体４の前面から投映面Ｗまでの距離を計測する計測部３６が接続されている。なお、計測部３６は、撮像部２４により被写体を撮像する際に被写体までの距離を計測する測距部を用いてもよい。また、標準スクリーンに対して投映する白色画像の明るさは、標準投影環境でプロジェクタ２を通常に使用する場合の明るさであればよく、定格の明るさ（最大の明るさ）でなくてもよい。
【００１１】
ここで、投映部３４は、光源であるＬＥＤ光源４６の点灯、消灯及びＬＥＤ光源４６から射出される投映光の光量を調整する電源制御部４８、投映画像を表示するＬＣＯＳ５０の制御を行う投映制御部５２を備えている。
【００１２】
次に、図３に示すフローチャートを参照して第１の実施の形態に係るプロジェクタ２の処理について説明する。まず、プロジェクタ２が所定の位置に設置され、ＰＪボタン１０が操作されると投映モードが設定される（ステップＳ１）。次に、ＣＰＵ２０は、プログラム記憶部３０に記憶されている、「プロジェクタをスクリーンに向けてください。」等のメッセージのデータを読み出し、このメッセージをＬＣＤ表示部６に表示する（ステップＳ２）。
【００１３】
次に、ＣＰＵ２０は、開始ボタン１２が操作されたか否かの判定を行う（ステップＳ３）。開始ボタン１２が操作された場合（ステップＳ３：Ｙｅｓ）、ＣＰＵ２０は、サイズ決定処理を開始する。即ち、まず、計測部３６により筐体４の前面から投映面Ｗまでの距離を計測する（ステップＳ４）。そして、ＣＰＵ２０は、投映制御部５２によりレンズ駆動部（図示せず）を駆動して投映レンズ（図示せず）を光軸方向に移動させ、現在の筐体４の位置で画像を投影した場合における最大投映サイズよりも小さく、現在の筐体４の位置で画像を投影した場合における最小投映サイズよりも大きな投映サイズで投映できるように投映部３４の投映画角を調整する（ステップＳ５）。ここで、投映画角は、最適な投映サイズ１１を早く決定することができるように、最大投映サイズと最小投映サイズとの中間の投映サイズで投映できる投映画角に調整されることが好ましい。
【００１４】
次に、ＣＰＵ２０は、筐体４の前面から投映面Ｗまでの現在の距離と同一の距離、かつ現在の投映画角と同一の投映画角で白色画像を投映した場合における標準スクリーンの輝度の最小値Ｌｍに関する情報、及び所定の閾値α０に関する情報を情報記憶部３１から読み出す（ステップＳ６）。なお、白色画像を投映した場合における標準スクリーンの輝度にはプロジェクタ２の投映性能等が反映されている。
【００１５】
次に、ＣＰＵ２０は、電源制御部４８により投映光の光量を調整し、標準スクリーンの輝度に関する情報を取得したときに投映した白色画像と同じ明るさの白色画像を一旦投映面Ｗに投映する（ステップＳ７）。
【００１６】
次に、ＣＰＵ２０は、白色画像が投映面Ｗに投映された状態において、撮像部２４により投映面Ｗの撮像を行う。例えば、図４に示すように、プロジェクタ２を上から見たときの現在の投映範囲がＸＰ、図５に示すようにプロジェクタ２を側面から見たときの現在の投映範囲がＹＰである場合、ＣＰＵ２０は、撮像範囲ＸＣが現在の投映範囲ＸＰと、撮像範囲ＹＣが現在の投映範囲ＹＰとそれぞれ一致するように撮像部２４の撮像画角を調整して投映面Ｗの撮像を行う。
【００１７】
ここで、撮像画角の調整には、被写体光を入射させる撮影窓４０と投映光を射出する投映窓４２との間の距離ＤＸ及びＤＹも考慮される。なお、図４及び図５において、距離Ｌは、筐体４の前面から投映面Ｗまでの現在の距離を示し、ＸＳ及びＹＳは、距離Ｌで投映画像を投映した場合の最大投映範囲を示している。また、ＸＰ及びＹＰは、距離Ｌで投映画像を投映した場合における現状投映サイズ１７（図１参照）の投映範囲を示している。
【００１８】
ＣＰＵ２０は、撮像部２４から出力された撮像データを記憶部２６に記憶する。次に、ＣＰＵ２０は、記憶部２６から撮像データを読み出し、撮像データから現在の投映範囲における投映面Ｗの光学特性を検知する（ステップＳ８）。例えば、ＣＰＵ２０は、図６に示すような座標軸を投映面Ｗに設定した場合において、現在の投映範囲ＸＰ及びＹＰの各座標（ｉ，ｊ）における投映面Ｗの輝度を検知する。ここで、現在の投映範囲の任意の座標において検知された輝度値をＬｉｊとする。なお、輝度値Ｌｉｊには、投映面Ｗの反射率や投映環境の照明状態等が反映されている。
【００１９】
次に、ＣＰＵ２０は、各座標（ｉ，ｊ）において検知された輝度値Ｌｉｊの中から最大の輝度値ＭＡＸ（Ｌｉｊ）を抽出し、数式１に示す条件が満たされているか否かの判定を行う（ステップＳ９）。
【００２０】
ＭＡＸ（Ｌｉｊ）／Ｌｍ  ≦  α０  …  数式１
ここで、数式１に示す条件が満たされた場合（ステップＳ９：Ｙｅｓ）、現状投映サイズ１７で投映画像を投映した場合に、最大の輝度値ＭＡＸ（Ｌｉｊ）が検知された座標の輝度が投映画像の画質に与える影響は少ないことが予想される。このため、現状投映サイズ１７を拡大しても投映画像の画質を維持することができる。
【００２１】
この場合、ＣＰＵ２０は、現状投映サイズ１７よりも一段大きな投映サイズで投映できるように投映部３４の投映画角を調整する（ステップＳ１０）。そして、現状投映サイズ１７を拡大したことを履歴記憶部３２に記憶する。
【００２２】
次に、ＣＰＵ２０は、履歴記憶部３２に記憶されている情報に基づき、今回の投映画角の調整内容と前回の投映画角の調整内容とが異なるか否かを判定する（ステップＳ１１）。今回の投映画角の調整内容と前回の投映画角の調整内容とが異なる場合（ステップＳ１１：Ｙｅｓ）、即ち、前回現状投映サイズ１７が縮小（拡大）され、今回現状投映サイズ１７が拡大（縮小）された場合、ＣＰＵ２０は、現状投映サイズ１７を最適な投映サイズ１１と決定する。次に、ＣＰＵ２０は、一段拡大した投映サイズを現状投映サイズ１７に戻した後、メモリカード３３から画像データを読み出し、画像データに基づく投映画像を最適な投映サイズ１１で投映面Ｗに投映する（ステップＳ１３）。
【００２３】
一方、今回の投映画角の調整内容と前回の投映画角の調整内容とが異ならない場合（ステップＳ１１：Ｎｏ）、例えば、前回現状投映サイズ１７が拡大（縮小）され、今回も現状投映サイズ１７が拡大（縮小）された場合、または、今回はじめて現状投映サイズ１７の拡大縮小が行われた場合、ステップＳ６の処理に戻る。
【００２４】
即ち、ＣＰＵ２０は、現状投映サイズ１７よりも一段大きな投映サイズの白色画像を投映した場合における標準スクリーンの輝度の最小値Ｌｍに関する情報を情報記憶部３１から読み出す（ステップＳ６）。そして、現状投映サイズ１７よりも一段大きな投映サイズで白色画像を投映面Ｗに投映し（ステップＳ７）、この投映サイズの投映範囲における投映面Ｗの光学特性を検知する（ステップＳ８）。その後、ステップＳ９〜Ｓ１１の処理を繰り返す。
【００２５】
また、数式１に示す条件が満たされない場合（ステップＳ８：Ｎｏ）、現状投映サイズ１７で投映画像を投映すると、ＭＡＸ（Ｌｉｊ）が検知された座標の輝度が投映画像の画質に影響を与えるおそれがある。このため、投映サイズを縮小して投映光の集光効果を高めることにより投映画像の画質を維持する必要が生ずる場合がある。
【００２６】
この場合、ＣＰＵ２０は、情報記憶部３１から所定の閾値α１に関する情報を読み出し、現在の投映範囲において数式２に示す条件が満たされる座標があるか否かを判定する（ステップＳ１４）。ここで、α１の値は、α０の値よりも大きな値であるものとする。
【００２７】
α１  ＞  Ｌｉｊ／Ｌｍ  …  数式２
現在の投映範囲において数式２に示す条件が満たされる座標がない場合（ステップＳ１４：Ｎｏ）、ＣＰＵ２０は、現状投映サイズ１７よりも一段小さな投映サイズで投映できるように投映画角を調整した後（ステップＳ１７）、ステップＳ１０の処理に進む。
【００２８】
一方、現在の投映範囲において数式２に示す条件が満たされる座標がある場合（ステップＳ１４：Ｙｅｓ）、ＣＰＵ２０は、現在の投映範囲においてα０＜Ｌｉｊ／Ｌｍ＜α１を満たす領域の面積Ａを算出する。また、現状投映サイズ１７で白色画像を標準スクリーンに投映した場合において、反射光が投映画像の画質に影響を与える領域の特徴面積Ａｋに関する情報を情報記憶部３１から読み出す（ステップＳ１５）。ここで、面積Ａは、複数の領域の面積を合計した面積ではなく、一つの繋がった領域の面積である。
【００２９】
次に、ＣＰＵ２０は、面積Ａ及び特徴面積Ａｋに基づいて、数式３に示す条件が満たされているか否かの判定を行う（ステップＳ１６）。
【００３０】
Ａ  ≦  Ａｋ  …  数式３
数式３に示す条件が満たされた場合（ステップＳ１６：Ｙｅｓ）、ステップＳ９の処理に進む。一方、数式３に示す条件が満たされない場合（ステップＳ１６：Ｎｏ）、ステップＳ１７の処理に進む。
【００３１】
この第１の実施の形態に係るプロジェクタ２によれば、標準投影環境で白色画像を投映した場合における標準スクリーンの光学特性と、現在の環境で白色画像を投映することにより検知した投映面Ｗの光学特性とを比較し、比較結果に基づいて投映サイズの変更を繰り返すことにより最適な投映サイズ１１を決定するため、良好な画質を維持できる最適な投映サイズで投映画像の投映を行うことができる。また、最大投映サイズと最小投映サイズとの中間の投映サイズで投映することができるように投映画角を調整してサイズ決定処理を開始することにより、迅速に最適な投映サイズ１１を決定することができる。
【００３２】
次に、第２の実施の形態に係るプロジェクタについて説明する。なお、第２の実施の形態に係るプロジェクタは、サイズ決定処理において、更に現状投映サイズ１７よりも一段大きな投映サイズで白色画像を投映した場合における標準スクリーンの輝度に関する情報を用いることにより現状投映サイズ１７を拡大するか縮小するかを決定するようにしたものである。従って、第１の実施の形態と同様の構成についての詳細な説明は省略し、異なる部分のみについて説明する。また、第１の実施の形態と同一の構成には同一の符号を付して説明する。
【００３３】
図７は、第２の実施の形態に係るプロジェクタの処理を示す図である。まず、プロジェクタ２が所定の位置に設置され、ＰＪボタン１０が操作されると、投映モードが設定される（ステップＳ２１）。次に、ＣＰＵ２０は、プログラム記憶部３０に記憶されている、「プロジェクタをスクリーンに向けてください。」等のメッセージの画像データを読み出し、この画像データに基づく画像をＬＣＤ表示部６に表示する（ステップＳ２２）。
【００３４】
次に、ＣＰＵ２０は、開始ボタン１２が操作されたか否かの判定を行う（ステップＳ２３）。開始ボタン１２が操作された場合（ステップＳ２３：Ｙｅｓ）、ＣＰＵ２０は、サイズ決定処理を開始する。即ち、まず、計測部３６により筐体４の前面から投映面Ｗまでの距離を計測する（ステップＳ２４）。そして、現在の筐体４の位置で画像を投影した場合における最大投映サイズよりも小さく、現在の筐体４の位置で画像を投影した場合における最小投映サイズよりも大きな投映サイズ（例えば、最大投映サイズと最小投映サイズとの中間の投映サイズ）で投映できるように投映部３４の投映画角を調整する（ステップＳ２５）。
【００３５】
次に、ＣＰＵ２０は、筐体４の前面から投映面Ｗまでの現在の距離と同一の距離、かつ現在の投映画角と同一の投映画角で白色画像を投映した場合における標準スクリーンの輝度に関する情報、及び所定の閾値α３に関する情報を情報記憶部３１から読み出す（ステップＳ２６）。次に、標準スクリーンの輝度に関する情報から現在の投映範囲の各座標（ｉ，ｊ）に対応する位置の輝度値Ｌｐｉｊに関する情報を抽出する。
【００３６】
次に、ＣＰＵ２０は、電源制御部４８により投映光の光量を調整し、標準スクリーンの輝度に関する情報を取得したときに投映した白色画像と同じ明るさの白色画像を一旦投映面Ｗに投映する（ステップＳ２７）。そして、撮像部２４により投映面Ｗにおける現在の投映範囲（図４及び図５参照）を撮像し、撮像部２４から出力された撮像データを記憶部２６に記憶する。
【００３７】
次に、ＣＰＵ２０は、記憶部２６から撮像データを読み出し、撮像データに基づいて現在の投映範囲における投映面Ｗの光学特性を検知する（ステップＳ２８）。例えば、ＣＰＵ２０は、図６に示すような座標軸を投映面Ｗに設定した場合において、現在の投映範囲の各座標（ｉ，ｊ）における輝度を検知する。ここで、現在の投映範囲の任意の座標において検知された輝度値をＬｉｊとする。
【００３８】
次に、ＣＰＵ２０は、現在の投映範囲において数式４に示す条件が満たされる座標があるか否かの判定を行う（ステップＳ２９）。
【００３９】
Ｌｉｊ／Ｌｐｉｊ  ≦  α３  …    数式４
現在の投映範囲において数式４に示す条件が満たされる座標がある場合（ステップＳ２９：Ｙｅｓ）、ＣＰＵ２０は、現状投映サイズ１７よりも一段大きな投映サイズで白色画像を投映した場合における標準スクリーンの輝度に関する情報を情報記憶部３１から読み出す。そして、この情報から、現在の投映範囲の各座標（ｉ，ｊ）に対応する位置における標準スクリーンの輝度値Ｌｐｉｊ３ｋを抽出する。次に、ＣＰＵ２０は、輝度値Ｌｉｊ及び輝度値Ｌｐｉｊを用いて、Ｌｉｊ／Ｌｐｉｊの最大値であるＭＡＸ（Ｌｉｊ／Ｌｐｉｊ）を算出し、算出した値を閾値α３ｋとして決定する（ステップＳ３０）。
【００４０】
次に、ＣＰＵ２０は、現在の投映範囲において数式５に示す条件が満たされる座標があるがあるか否かの判定を行う（ステップＳ３１）。
【００４１】
Ｌｉｊ／Ｌｐｉｊ３ｋ  ≦  α３ｋ  …    数式５
現在の投映範囲において数式５に示す条件が満たされる座標がある場合（ステップＳ３１：Ｙｅｓ）、ＣＰＵ２０は、現状投映サイズ１７よりも一段大きな投映サイズで投映できるように投映部３４の投映画角を調整する（ステップＳ３２）。そして、現状投映サイズ１７を拡大したことを履歴記憶部３２に記憶する。ステップＳ３３〜３５の処理については、第１の実施の形態におけるステップＳ１１〜１３の処理と同様であるため説明を省略する。
【００４２】
一方、現在の投映範囲において数式５に示す条件が満たされる座標がない場合（ステップＳ３１：Ｎｏ）、または、現在の投映範囲において数式４に示す条件が満たされる座標がない場合（ステップＳ２９：Ｎｏ）、ＣＰＵ２０は、情報記憶部３１から所定の閾値α４に関する情報を読み出し、現在の投映範囲において数式６に示す条件が満たされる座標があるか否かを判定する（ステップＳ３６）。ここで、α４の値は、α３の値よりも大きな値であるものとする。
【００４３】
α４  ＞  Ｌｉｊ／Ｌｐｉｊ  …  数式６
現在の投映範囲において数式６に示す条件が満たされる座標がない場合（ステップＳ３６：Ｎｏ）、ＣＰＵ２０は、現状投映サイズ１７よりも一段小さな投映サイズで投映できるように投映部３４の投映画角を調整する（ステップＳ３９）。
【００４４】
一方、現在の投映範囲において数式６に示す条件が満たされる座標がある場合（ステップＳ３６：Ｙｅｓ）、ＣＰＵ２０は、現在の投映範囲において、α３＜Ｌｉｊ／Ｌｐｉｊ＜α４を満たす領域の面積Ａを算出する。また、現状投映サイズ１７で白色画像を標準スクリーンに投映した場合において、反射光が投映画像の画質に影響を与える領域の特徴面積Ａｋに関する情報を情報記憶部３１から読み出す（ステップＳ３７）。次に、面積Ａ及び特徴面積Ａｋに基づいて、数式７に示す条件が満たされているか否かの判定を行う（ステップＳ３８）。
【００４５】
Ａ  ≦  Ａｋ  …  数式７
そして、数式７に示す条件が満たされた場合（ステップＳ３８：Ｙｅｓ）、ステップＳ３１の処理に進む。数式７に示す条件が満たされない場合（ステップＳ３８：Ｎｏ）、ＣＰＵ２０は、現状投映サイズ１７よりも一段小さな投映サイズで投映できるように投映部３４の投映画角を調整する（ステップＳ３９）。
【００４６】
この第２の実施の形態に係るプロジェクタによれば、現状投映サイズ１７よりも一段大きな投映サイズで白色画像を投映した場合における標準スクリーンの輝度に関する情報を用いて現状投映サイズ１７を拡大するか縮小するかを決定するため、サイズ決定処理の精度を向上させることができる。
【００４７】
次に、第３の実施の形態に係るプロジェクタについて説明する。なお、第３の実施の形態に係るプロジェクタは、サイズ決定処理において一つの数式に基づいて現状投映サイズ１７を拡大するか縮小するかを決定するようにしたものである。従って、第１の実施の形態と同様の構成についての詳細な説明は省略し、異なる部分のみについて説明する。また、第１の実施の形態と同一の構成には同一の符号を付して説明する。
【００４８】
図８は、第３の実施の形態に係るプロジェクタの処理を示す図である。まず、プロジェクタ２が所定の位置に設置され、ＰＪボタン１０が操作されると、投映モードが設定される（ステップＳ４１）。次に、ＣＰＵ２０は、プログラム記憶部３０に記憶されている、「プロジェクタをスクリーンに向けてください。」等のメッセージのデータを読み出し、このメッセージをＬＣＤ表示部６に表示する（ステップＳ４２）。
【００４９】
次に、ＣＰＵ２０は、開始ボタン１２が操作されたか否かの判定を行う（ステップＳ４３）。開始ボタン１２が操作された場合（ステップＳ４３：Ｙｅｓ）、ＣＰＵ２０は、サイズ決定処理を開始する。即ち、まず、計測部３６により筐体４の前面から投映面Ｗまでの距離を計測する（ステップＳ４４）。そして、現在の筐体４の位置で画像を投影した場合における最大投映サイズよりも小さく、現在の筐体４の位置で画像を投影した場合における最小投映サイズよりも大きな投映サイズ（例えば、最大投映サイズと最小投映サイズとの中間の投映サイズ）で投映できるように投映部３４の投映画角を調整する（ステップＳ４５）。
【００５０】
次に、ＣＰＵ２０は、筐体４の前面から投映面Ｗまでの現在の距離と同一の距離、かつ現在の投映画角と同一の投映画角で白色画像を投映した場合における輝度分布特徴値Ｌｃに関する情報、及び所定の閾値α５に関する情報を情報記憶部３１から読み出す（ステップＳ４６）。なお、輝度分布特徴値Ｌｃは、投映画像の画質に影響する領域の面積が投映範囲の面積に占める割合の値と標準スクリーンの輝度とを合成したパラメータである。
【００５１】
次に、ＣＰＵ２０は、電源制御部４８により投映光の光量を調整し、標準スクリーンの輝度に関する情報を取得したときに投映した白色画像と同じ明るさの白色画像を一旦投映面Ｗに投映する（ステップＳ４７）。そして、撮像部２４により投映面Ｗにおける現在の投映範囲（図４及び図５参照）を撮像し、撮像部２４から出力された撮像データを記憶部２６に記憶する。
【００５２】
次に、ＣＰＵ２０は、記憶部２６から撮像データを読み出し、撮像データに基づいて現在の投映範囲における投映面Ｗの光学特性を検知する（ステップＳ４８）。例えば、ＣＰＵ２０は、図６に示すような座標軸を投映面Ｗに設定した場合において、現在の投映範囲の各座標（ｉ，ｊ）における輝度を検知する。ここで、現在の投映範囲の任意の座標において検知された輝度値をＬｉｊｃとする。
【００５３】
次に、ＣＰＵ２０は、各座標（ｉ，ｊ）において検知された輝度値Ｌｉｊｃの中から最大の輝度値ＭＡＸ（Ｌｉｊｃ）を抽出し、数式８に示す条件が満たされるか否かの判定を行う（ステップＳ４９）。
【００５４】
ＭＡＸ（Ｌｉｊｃ）／Ｌｃ  ≦  α５  …    数式８
数式８に示す条件が満たされる場合（ステップＳ４９：Ｙｅｓ）、ＣＰＵ２０は、現状投映サイズ１７よりも一段大きな投映サイズで投映できるように投映部３４の投映画角を調整する（ステップＳ５０）。一方、数式８に示す条件が満たされない場合（ステップＳ４９：Ｎｏ）、現状投映サイズ１７よりも一段小さな投映サイズで投映できるように投映部３４の投映画角を調整する。（ステップＳ５１）。
【００５５】
ステップＳ５２〜５４の処理については、第１の実施の形態におけるステップＳ１１〜１３の処理と同様であるため説明を省略する。
【００５６】
この第３の実施の形態に係るプロジェクタ２によれば、輝度分布特徴値Ｌｃを用いることにより、一つの数式に基づいて現状投映サイズ１７を拡大するか縮小するかを決定するため、サイズ決定処理の処理速度を向上させることができる。
【００５７】
なお、上述の実施の形態においては、撮像部２４により撮像を行い、撮像部２４から出力された撮像データを用いて投映面Ｗの光学特性を検知しているが、輝度センサ等を含む検知部を備え、検知部により直接投映面Ｗの光学特性を検知するようにしてもよい。これにより、撮像部２４を用いずに投映面Ｗの光学特性を検知することができる。
【００５８】
また、上述の実施の形態においては、投映部３４がズーム投映光学系を備え、サイズ決定処理において投映画角を調整する場合を例に説明しているが、投映部３４が単焦点投映光学系を備えるようにしてもよい。この場合、サイズ決定処理において「プロジェクタを前に移動させてください。」、「プロジェクタを後に移動させてください。」等のメッセージをＬＣＤ表示部６において表示することにより、操作者に現状投映サイズ１７を変更させるようにしてもよい。この場合、図９に示すように、現状投映サイズ１７を拡大すべきか縮小すべきかを指示するす指示マーク１６を投映面Ｗに投映するようにしてもよい。また、音声出力部を備え音声により指示を行うようにしてもよい。
【００５９】
また、上述の実施の形態において、標準投影環境で標準スクリーンに対して複数の異なる投映サイズで赤色画像、緑色画像、青色画像をそれぞれ投映することにより検知された投映サイズ毎の標準スクリーンの色特性に関する情報が情報記憶部３１に記憶されていてもよい。この場合、例えば、サイズ決定処理において、ＣＰＵ２０は、現状投映サイズ１７で赤色画像、緑色画像、青色画像をそれぞれ投映した場合における標準スクリーンの色特性に関する情報、及び所定の閾値に関する情報を情報記憶部３１から読み出す。次に、ＣＰＵ２０は、現在の投映範囲の各座標（ｉ，ｊ）における投映面Ｗの色特性ＲＧＢｉｊを検知する。ここで、色特性ＲＧＢｉｊにおいて、Ｒは赤色の成分の色特性を示し、Ｇは緑色の成分の色特性を示し、Ｂは青色の成分の色特性を示す。そして、情報記憶部３１から読み出した標準スクリーンの色特性及び閾値と、現在の投映範囲の各座標（ｉ，ｊ）における投映面Ｗの色特性ＲＧＢｉｊとを用いて、上述の実施の形態において説明したサイズ決定処理と同様のサイズ決定処理を行うようにしてもよい。これにより、投映面Ｗの色ムラ等が目立たないように最適な投映サイズ１１を決定することができる。
【００６０】
また、上述の実施の形態において、更に投映画像の画像特性を用いて最大投映サイズ１１を決定するようにしてもよい。例えば、ＣＰＵ２０は、情報記憶部３１から現状投映サイズ１７で白色画像を投映した場合における標準スクリーンの光学特性に関する情報及び所定の閾値を読み出し、現在の投映範囲における投映面Ｗの光学特性を検知する。次に、メモリカード３３から投映面Ｗに投映する画像の画像データを読み出し、画像データから投映画像の画像特性を検出する。そして、情報記憶部３１から読み出した標準スクリーンの光学特性と閾値、現在の投映範囲における投映面Ｗの光学特性、及び画像特性を用いて最適な投映サイズ１１を決定するようにしてもよい。これにより、個々の投映画像を良好な画質で投映できるように最適な投映サイズ１１を決定することができる。
【００６１】
また、上述の実施の形態においては、現状投映サイズ１７を最適な投映サイズ１１として決定しているが（図３、ステップＳ１２参照）、現状投映サイズ１７以外の投映サイズを最適な投映サイズ１１として決定してもよい。例えば、サイズ決定処理において、現状投映サイズ１７よりも一段大きな（小さな）投映サイズで投映できるように投映部３４の投映画角が調整されたとする（図３、ステップＳ１０参照）。ここで、今回の投映画角の調整内容と前回の投映画角の調整内容とが異なる場合（図３、ステップＳ１１参照）、ＣＰＵ２０は、現状投映サイズ１７を一段拡大（縮小）した投映サイズを最適な投映サイズ１１として決定してもよい。
【００６２】
また、上述の実施の形態において、撮像部２４により投映面Ｗの撮像を行う場合、現在の投映範囲ＸＰ（ＹＣ）（図４及び図５参照）を含む範囲（例えば、最大投映範囲ＸＳ（ＹＳ））を撮像するようにしてもよい。そして、筐体４の前面から投映面Ｗまでの現在の距離及び現在の投映画角に基づいて、撮像データを構成する画素の中から現在の投映範囲に対応する領域の画素を抽出し、現在の投映範囲における投映面Ｗの光学特性を検知するようにしてもよい。また、撮像データにおけるコントラストを認識することにより現在の投映範囲に対応する領域の画素を抽出し、現在の投映範囲における投映面Ｗの光学特性を検知するようにしてもよい。
【００６３】
また、上述の実施の形態において、投映面Ｗの所定のスポット、例えば、投映面Ｗの４隅と中央等の５つのスポットの光学特性を検知するようにしてもよい。これにより、サイズ決定処理の処理速度を向上させることができる。
【００６４】
また、上述の実施の形態において、情報記憶部３１に記憶されている標準スクリーンの光学特性に関する情報は、実測により取得された情報でもよく、シミュレーションにより取得された情報でもよい。
【００６５】
また、上述の実施の形態においては、計測部３６の計測方式を明記していないが、投映面Ｗが低輝度である場合においても筐体４の前面から投映面Ｗまでの距離を計測することができれば、レーザ距離計、超音波式距離計等の計測方式は問わない。
【符号の説明】
【００６６】
２…プロジェクタ、４…筐体、６…ＬＣＤ表示部、１１…最大投映サイズ、１７…現状投映サイズ、１６…指示マーク、２０…ＣＰＵ、２２…操作部、２３…表示制御部、２４…撮像部、２６…記憶部、３０…プログラム記憶部、３１…情報記憶部、３２…履歴記憶部、３３…メモリカード、３４…投映部、３６…計測部
【図１】
2013057767.tif 000003
【図２】
2013057767.tif 000004
【図３】
2013057767.tif 000005
【図４】
2013057767.tif 000006
【図５】
2013057767.tif 000007
【図６】
2013057767.tif 000008
【図７】
2013057767.tif 000009
【図８】
2013057767.tif 000010
【図９】
2013057767.tif 000011